(57)【要約】【課題】蓋体に対する操作ボタンの取付け作業の容易に実施することができ、外蓋部材を樹脂製とした場合に化粧板を省略することができるようにする。【解決手段】蓋体２の外蓋部材２２が取り付けられる蓋リング部材２４に、操作ボタン５０のヒンジ軸５２を径方向に挿入することにより回動自在に保持させられる切欠き状の軸受け部６１を形成し、ヒンジ軸５２が挿入された状態で蓋リング部材２４側の突部６４と操作ボタン５０側の突受け部５５とを係合準備位置に合わせることにより軸受け部６１に対するヒンジ軸５２の抜け側移動が阻止されるようにし、突部６４を軸受け部６１に挿入されるヒンジ軸５２と接触しない位置に配し、蓋リング部材２４と操作ボタン５０との間に弾性部材７０を介在させ、外蓋部材２２を樹脂製としてその外面に蓋体２の外観面２２ａを形成した。【選択図】図１
2007252639.tif 000002
【特許請求の範囲】
【請求項１】
蓋体に蓋フックの係合を解除する操作ボタンを備え、前記操作ボタンに回転中心となるヒンジ軸を設け、前記操作ボタンが押し込み操作により蓋フック解除側へ回転し、その押圧がなくなると待機位置側に回転するようにした炊飯器において、
前記蓋体の外蓋部材が取り付けられる蓋リング部材に前記ヒンジ軸を径方向に挿入可能な切欠き状の軸受け部を形成し、前記ヒンジ軸が挿入された状態で前記蓋リング部材側の突部と前記操作ボタン側の突受け部とを係合準備位置に合わせることにより前記ヒンジ軸の抜け側移動が阻止されるようにし、前記突部を前記軸受け部に挿入されるヒンジ軸と接触しない位置に配し、前記蓋リング部材と前記操作ボタンとの間に前記操作ボタンを待機位置に復帰させる弾性部材を介在させたことを特徴とする炊飯器。
【請求項２】
前記弾性部材を圧縮コイルばねとし、前記蓋リング部材と前記操作ボタンのそれぞれに、前記弾性部材の端部に嵌合するばね保持部を形成し、前記操作ボタン側のばね保持部をヒンジ軸回りの回転により前記蓋リング部材側のばね保持部に対向するようにした請求項１に記載の炊飯器。
【請求項３】
前記外蓋部材を樹脂製とし、その外面に前記蓋体の外観面を形成した請求項１又は２に記載の炊飯器。
【発明の詳細な説明】
【技術分野】
【０００１】
この発明は、炊飯器に関し、特に、炊飯器本体に対する蓋体のロック解除操作を行う際に押圧される操作ボタンの取付け構造に関する。
【背景技術】
【０００２】
従来から、炊飯器の蓋体としては、蓋フックが取り付けられる蓋リング部材と、この蓋リング部材を外側から覆う外蓋部材とを構成部材に含むものがある。上記の操作ボタンは、蓋体に対してそのヒンジ軸回りに回動可能に取り付けられている。
【０００３】
例えば、図１０、図１１に示すように、操作ボタン１００は、外蓋部材１１０に露出するボタン部１０１と、このボタン部１０１の回動中心になるヒンジ軸１０２と、捻りコイルばね１２０が装着されるばね装着部１０３とを有するものがある。
【０００４】
外蓋部材１１０の内面には、操作ボタン１００を保持する支持座部１１１が形成されている。この支持座部１１１は、外蓋部材１１０の内面に突出する座部１１２と、この座部前縁（図１０中左側を前側とする）との間で隙間ｓを形成する突起部１１３と、ばね装着部１０３の軸方向動を規制する一対の突壁１１４と、ヒンジ軸１０２の軸方向動を規制する一対の軸当て部１１５とで構成されている。
【０００５】
操作ボタン１００の取付けに際しては、支持座部１１１の隙間ｓに、ばね装着部１０３の後端縁に形成されたテーパ部１０４が押し込まれる。この押し込みは、捻りコイルばね１２０の一方の突片部１２１をばね装着部１０３の内面側に当て、他方の突片部１２２を外蓋部材１１０の内面に当てて撓ませた状態（つまり、捻りトルクを発生させた状態）を保って実施される。テーパ部１０４が支持座部１１１の隙間ｓを通過すると、ヒンジ軸１０２が一対の軸当て部１１５に嵌り、ばね装着部１０３と一対の突壁１１４とが軸方向に近接対向する状態になる。この状態からボタン部１０１が外蓋部材１１０の孔に嵌るように操作ボタン１００が寝かされると、テーパ部１０４の前方に形成された係合孔１０５に支持座部１１１の突起部１１３が嵌り、テーパ部１０４が支持座部１１１の座部１１２と突起部１１３とで形成される空間に嵌る。これにより、操作ボタン１００の取付け作業が完了する。
【０００６】
上記の取付け状態では、捻りコイルばね１２０が外蓋部材１１０と操作ボタン１００との間に介在させられており、そのトルク付勢により、操作ボタン１００のボタン部１０１が外蓋部材１１０の孔に嵌合した状態に保持される（待機位置）。この待機位置からボタン部１０１が押し込まれると、図１０に二点鎖線で示すように、ボタン部１０１がヒンジ軸１０２回りで回転・沈降し、ボタン部１０１の突出部１０６が蓋フック１３０を動かすことにより、蓋フック１３０の炊飯器本体に対する係合が解除されるようになっている。
【０００７】
上記の押し込み時には、テーパ部１０４も回転するが、上記隙間ｓは、テーパ部１０４が回転しても確実に脱落しない幅になっている。そして、ボタン部１０１の押し込みが解除されると、捻りコイルばね１２０のトルク付勢により操作ボタン１００が待機位置に復帰させられる（例えば、特許文献１参照）。
【０００８】
【特許文献１】特開２００６−２０８５０号公報
【発明の開示】
【発明が解決しようとする課題】
【０００９】
しかしながら、前掲の特許文献１のような炊飯器では、外蓋部材１１０の内面に操作ボタン１００の座部１１２、突起部１１３、一対の突壁１１４、一対の軸当て部１１５が複雑に形成されるため、樹脂製の外蓋部材にする場合、外蓋部材の外面側にヒケが発生する。このヒケは外観上目立つため、外蓋部材１１０にヒケを覆い隠す化粧板１４０を装着する必要があった。
【００１０】
また、前掲の特許文献１のような炊飯器では、上記の隙間ｓからテーパ部１０４が脱落しないように隙間ｓの幅を狭めに設ける必要がある。それ故、テーパ部１０４を隙間ｓに押し込み難く、操作ボタン１００の取付け作業性が悪い点で改良の余地があった。
【００１１】
さらに、特許文献１のような炊飯器では、捻りコイルばね１２０のトルク付勢がないと操作ボタン１００が垂れ下がって支持座部１１１から容易に脱落するため、組立て作業の都合上、操作ボタン１００の取付けと同時に捻りコイルばね１２０をトルク付勢状態で外蓋部材１１０と操作ボタン１００の間に介在させる必要があり、このことも作業性を悪化させる一因となっていた。
【００１２】
そこで、この発明の課題は、操作ボタンの取付け作業を容易に実施することができ、外蓋部材を樹脂製とした場合に化粧板を省略することができるようにすることにある。
【課題を解決するための手段】
【００１３】
上記の課題を達成するため、この発明は、蓋体に蓋フックの係合を解除する操作ボタンを備え、前記操作ボタンに回転中心となるヒンジ軸を設け、前記操作ボタンが押し込み操作により蓋フック解除側へ回転し、その押圧がなくなると待機位置側に回転するようにした炊飯器において、前記蓋体の外蓋部材が取り付けられる蓋リング部材に前記ヒンジ軸を径方向に挿入可能な切欠き状の軸受け部を形成し、前記ヒンジ軸が挿入された状態で前記蓋リング部材側の突部と前記操作ボタン側の突受け部とを係合準備位置に合わせることにより前記ヒンジ軸の抜け側移動が阻止されるようにし、前記突部を前記軸受け部に挿入されるヒンジ軸と接触しない位置に配し、前記蓋リング部材と前記操作ボタンとの間に前記操作ボタンを待機位置に復帰させる弾性部材を介在させたことを特徴とする構成を採用したものである。
【００１４】
上記構成では、前記蓋体の外蓋部材が取り付けられる蓋リング部材に前記ヒンジ軸を径方向に挿入可能な切欠き状の軸受け部を形成し、前記ヒンジ軸が挿入された状態で前記蓋リング部材側の突部と前記操作ボタン側の突受け部とを係合準備位置に合わせることにより前記ヒンジ軸の抜け側移動が阻止されるようにしたため、前記軸受け部の締め代を緩く、又は無くすことできる。すなわち、前記ヒンジ軸を前記軸受け部に軽い力で挿入し、前記突部と前記突受け部とを係合させるだけで、前記操作ボタンを前記蓋リング部材に対し取り付けることができる。
さらに、上記構成では、弾性部材による付勢がなくとも前記ヒンジ軸が前記軸受け部に保たれるため、前記操作ボタンの強制嵌合作業と別に装着させることができる。このことからも、前記操作ボタンの取付け作業性が向上する。
ここで、前記突部を前記軸受け部に挿入されるヒンジ軸と接触しない位置に配したので、前記突部によって前記ヒンジ軸の挿入作業空間が狭まることはない。
したがって、上記構成によれば、操作ボタンの取付け作業を容易に実施することができる。
【００１５】
前記弾性部材としては、捻りコイルばねを用いることもできるが、この種のばねは、上述の如く取付作業が行い難いものである。ここで、上記構成では、弾性部材による付勢がなくとも前記ヒンジ軸が前記軸受け部に保たれるため、他の種類のばねを採用することができる。
【００１６】
具体的には、前記弾性部材を圧縮コイルばねとし、前記蓋リング部材と前記操作ボタンのそれぞれに、前記弾性部材の端部に嵌合するばね保持部を形成し、前記操作ボタン側のばね保持部を、前記ヒンジ軸回りの回転により前記蓋リング部材側のばね保持部に対向するようにした構成を採用することができる。
この構成によれば、前記蓋リング部材と前記操作ボタンのそれぞれに前記ばね保持部を形成したので、前記外蓋部材にヒケの問題は生じない。また、前記操作ボタン側のばね保持部を、前記ヒンジ軸回りの回転により前記蓋リング部材側のばね保持部に対向するようにしたので、前記ヒンジ軸を前記軸受け部に挿入した後、前記操作ボタン又は前記蓋リング部材側のばね保持部に前記弾性部材を嵌合して前記操作ボタンを回転させることにより、前記弾性部材を前記操作ボタンと前記蓋リング部材との間に介在させられる。したがって、前記操作ボタンの取付け作業がより容易になる。
【００１７】
上述のように、前記蓋リング部材に前記操作ボタンが取り付けられるため、前記外蓋部材に前記操作ボタンの取付け構造がない。したがって、前記外蓋部材を樹脂製にしても、その外面のヒケ発生は防止される。
【００１８】
そこで、上記構成においては、前記外蓋部材を樹脂製とし、その外面に前記蓋体の外観面を形成した構成を採用することにより、化粧板を省略することができる。
【発明の効果】
【００１９】
上述のように、この発明は、蓋体に蓋フックの係合を解除する操作ボタンを備え、前記操作ボタンに回転中心となるヒンジ軸を設け、前記操作ボタンが押し込み操作により蓋フック解除側へ回転し、その押圧がなくなると待機位置側に回転するようにした炊飯器において、前記蓋体の外蓋部材が取り付けられる蓋リング部材に前記ヒンジ軸を径方向に挿入可能な切欠き状の軸受け部を形成し、前記ヒンジ軸が挿入された状態で前記蓋リング部材側の突部と前記操作ボタン側の突受け部とを係合準備位置に合わせることにより前記ヒンジ軸の抜け側移動が阻止されるようにし、前記突部を前記軸受け部に挿入されるヒンジ軸と接触しない位置に配し、前記蓋リング部材と前記操作ボタンとの間に前記操作ボタンを待機位置に復帰させる弾性部材を介在させた構成の採用により、前記蓋体に対する前記操作ボタンの取付け作業を容易化することができる。
また、この発明は、さらに、前記外蓋部材を樹脂製とし、その外面に前記蓋体の外観面を形成した構成を採用したことにより、前記外蓋部材を樹脂製にした場合に化粧板を省略することができる。
【発明を実施するための最良の形態】
【００２０】
以下、この発明の実施形態に係る炊飯器を添付図面に基づいて説明する。
図１、図２に示すように、この実施形態に係る炊飯器は、炊飯器本体１の外殻肩部１１に閉じ合う蓋体２がヒンジ機構により外殻肩部１１に対して開閉可能に設けられている。
【００２１】
この蓋体２は、炊飯器本体１内に収容された内鍋３を閉じる内蓋２１と、外殻肩部１１の外観面１１ａに連続する外観面２２ａが形成された樹脂製の外蓋部材２２と、内蓋２１に放熱するヒータカバー２３と、外蓋部材２２、ヒータカバー２３等の取付けベースになる樹脂製の蓋リング部材２４とを備えている。
【００２２】
内蓋２１は、その弾性環部をヒータカバー２３から突出する軸部に押し通すことにより着脱可能に取り付けられている。
【００２３】
外蓋部材２２は、その縁部を蓋リング部材２４の係合溝に強制嵌合することにより取り付けられている。
【００２４】
ヒータカバー２３は、図３に示すように、円形外周を有し、その外周には一面側に切り起こされた突片部２３ａが周方向に等間隔で形成されている。複数の突片部２３ａには、ヒータカバー２３にアースを接続するためのスリット２３ｂが形成されている。
【００２５】
一方、蓋リング部材２４の外蓋部材２２側の表面には、図４に示すように、上記突片部２３ａに対応する差込み孔２５と、図５に示すように、スリット２３ｂが形成された突片部２３ａに対応する差込み孔２５の中心寄りの部分に形成されたナット嵌合用凹部２６とが形成されている。ナット嵌合用凹部２６は、嵌め込まれたナットを回り止めするようになっている。さらにナット嵌合用凹部２６は、ボルト３０の先端部分が貫通し、先端部分の径以上のナット嵌合用穴があけられている。
【００２６】
ヒータカバー２３は、図６に示すように、各ナット嵌合用凹部２６に嵌め込まれたナット２７に被さるように突片部２３ａを折り曲げた後、スリット２３の上にアース端子２８、ばねワッシャ２９の順でこれらの孔がナット２７と軸方向に連通するように置き、ワッシャ２９の上からボルト３０を通し、そのボルト３０とナット２７とでねじ締結することにより、ボルト３０、ナット２７、ばねワッシャ２９、アース端子２８が一体となる。これにより、ヒータカバー２３にアースが接続される。
【００２７】
上記のヒータカバー２３の取付け構造では、突片部２３ａ、ナット２７、アース端子２８、ボルト３０が全て蓋リング部材２４の外蓋部材２２側の面上に配置される。このため、ヒータ貼り付け面にボルトナット又はリベットでアース接続する場合と異なり、内蓋２１を取り外した状態でナット２７、ボルト３０が露出せず、蓋体２の外観を損ねない。また、リベット孔やボルト孔を通して蒸気漏れが起きる心配もない。さらに、上記のヒータカバー２３の取付け構造では、アース接続を省略した場合でも、ボルト３０、ナット２７、ばねワッシャ２９が一体にすることにより、ヒータカバー２３を蓋リング部材２４に対して取り付けることができる。このため、アース接続の要否に応じてヒータカバーを２種類用意する必要がない。
【００２８】
また、蓋体２は、図１、図２に示すように、ヒータカバー２３等の他に、蓋体２の閉成回転により外殻肩部１１の凹部１１ｂに自動的に係合して蓋体２を閉成状態にロックする蓋フック機構４０と、この蓋フック機構４０の係合を解除する操作ボタン５０とを備えている。
【００２９】
この実施形態では、蓋フック機構４０が、蓋リング部材２４に対して係合位置と係合解除位置との間を前後（図中では左右）にスライド自在に装着された蓋フック４１と、この蓋フック４１と蓋リング部材２４との間に蓋フック４１を係合位置に付勢するように介装された弾性部材４２とで構成されている。
【００３０】
通常、フック部材４１は、弾性部材４２の付勢により係合位置にある（図８を適宜に参照のこと）。蓋フック４１は、蓋体２の閉成回転時に外殻肩部１１と接触した勢いで弾性部材４２に抗して後退させられ、その弾性反発により係合位置に復帰させられると、外殻肩部１１の凹部１１ｂに係合するようになっている。
【００３１】
前記操作ボタン５０は、外蓋部材２２の孔から外部に露出するボタン部５１と、この回動中心になるヒンジ軸５２と、ボタン部５１とヒンジ軸５２回りの回転半径を設けるためのアーム部５３とを有する。
【００３２】
前記蓋リング部材２４には、後向き開放の軸受け部６１が周囲の格子状リブ構造６２よりも突出し、かつ蓋フック機構４０の後方に位置するように一対で形成されている。
【００３３】
この軸受け部６１は、図７に示すように、ヒンジ軸５２の円筒外周面と滑り接触する円弧面によりヒンジ軸５２の外径を回動自在に支持し、その開放端幅ｗがヒンジ軸５２の外径に対して締め代ｗ１を有するようになっている。この締め代ｗ１は、操作ボタン５０が取り付けられるまでの間に負荷される外力によりヒンジ軸５２が円弧面からずれない程度の緩い設定になっている。このため、ヒンジ軸５２を軸受け部６１に対し後方から軽い力で径方向に挿入することができる。また、ヒンジ軸５２が挿入された状態で、操作ボタン５０は、軸受け部６１により単独で保持される。
【００３４】
図１、図７に示すように、前記蓋リング部材２４と前記操作ボタン５０のアーム部５３との間には、圧縮コイルばねからなる弾性部材７０が介在させられている。
【００３５】
蓋リング部材２４には、弾性部材７０の一端部内周に嵌合する円柱状のばね保持部６３が軸受け部６１の前方に形成されている。一方、アーム部５３には、弾性部材７０の他端部外周に嵌合する円環状のばね保持部５４が形成されている。
【００３６】
アーム部５３側のばね保持部５４の内周面中心の回転半径ｒ１は、ばね保持部６３に嵌合された弾性部材７０のコイル軸Ｃと、軸受け部６１に挿入されたヒンジ軸５２との間の平行距離Ｌ１と同一長さになっている。このため、操作ボタン５０がヒンジ軸５２回りに回転させられてコイル軸Ｃと直交する角度になると、ばね保持部５４が蓋リング部材２４側のばね保持部６３と対向する。したがって、蓋リング部材２４側のばね保持部６３に弾性部材７０の一端部を嵌合して予め起立状態に設置し、その後に操作ボタン５０を回転させて弾性部材７０の他端部をばね保持部５４に嵌合することができる。すなわち、上記構成では、ヒンジ軸５２を軸受け部６１に挿入する前後いずれかの時期を選択して、弾性部材７０を圧縮することなく手早く取り付けることができる。
【００３７】
また、前記蓋リング部材２４には、軸受け部６１から前方に離間し、かつヒンジ軸５２の軸方向に平行一対で突部６４が形成されている。突部６４は、軸受け部６１から前方に離間しているため、後向きに開放された軸受け部６１に対し径方向に挿入されるヒンジ軸５２と接触することはない。
【００３８】
上記のように配置された突部６４の高さは、ばね保持部６３に嵌合された弾性部材７０（自然長状態にある）よりも高くなるように設定されている。
【００３９】
一方、アーム部５３には、ヒンジ軸５２の軸方向に平行一対の突受け部５５が貫通孔として形成されている。突受け部５５の孔中心の回転半径ｒ２は、突部６４とヒンジ軸５２間の平行距離Ｌ２と同一長さになっている。また、突受け部５５の内径は、全体として突部６４の外径よりも大きく形成されている。
【００４０】
上記回転半径ｒ２と平行距離Ｌ２との関係は、操作ボタン５０のヒンジ軸５２回りの回転により突受け部５５が突部６４に対向することを可能にしている。上記突受け部５５の突部６４に対する径余裕は、操作ボタン５０のヒンジ軸５２回りの回転により突受け部５５が突部６４に嵌ることを可能にしている。また、上記突部６４の弾性部材７０に対する高さ余裕は、弾性部材７０の他端部が操作ボタン５０のばね保持部５４に嵌合する前に突部６４が突受け部５５に嵌ることを可能にしている。
【００４１】
上記構成によれば、操作ボタン５０の取付け作業は、ヒンジ軸５２を軸受け部６１に挿入し、弾性部材７０の一端部をばね保持部６３に嵌合し、操作ボタン５０を回転させて弾性部材７０の他端部をばね保持部５４に嵌合する（この嵌合時、既に突部６４が突受け部５５に嵌っている）回転操作だけで済み、手早く実施することができる。
【００４２】
そして、上記操作ボタン５０の取付け状態では、図８（ａ）、（ｂ）に示すように、突部６４と突受け部５５とが全周に亘って僅かに隙間をもって対面する係合準備位置に合わされる。このため、操作ボタン５０が、前後又は軸方向に動こうとしても、突部６４と突受け部５５とが直ちに接触係合することにより、その動きが阻止される。したがって、前記軸受け部６１に対する前記ヒンジ軸５２の抜け側移動（この実施形態では後方側への移動）が阻止される。
【００４３】
そして、外蓋部材２２が蓋リング部材２４に取り付けられると、弾性部材７０によるアーム部５３の支持により、そのボタン部５１が外蓋部材２２の孔に嵌合した状態（待機位置）に維持される。
【００４４】
上記の待機位置では、ボタン部５１に形成されたカム部５６が蓋フック４１に形成されたカム面に対向している。
【００４５】
そして、図９に示すように、ボタン部５１が押圧されてヒンジ軸５２回りで回転・沈降することにより、カム部５６が蓋フック４１のカム面を後方に押し、蓋フック４１が係合解除位置まで後退させられる。この間、突部６４と突受け部５５とは操作ボタン５０の回転を阻止せず、弾性部材７０は圧縮される。この状態からボタン部５１の押圧が解除されると、操作ボタン５０は、弾性部材７０の弾性反発によるトルク付勢を受けて図８（ａ）に示した待機位置に復帰させられる。
【００４６】
この実施形態では、操作ボタン５０の取付け構造が全て蓋リング部材２４側にあるため、外蓋部材２２の内面が緩やかな曲面状に形成されている。したがって、この実施形態では、樹脂製の外蓋部材２２に形成された外観面２２ａにヒケが発生することは防止されるので、化粧板を省略することができる。
【００４７】
なお、この実施形態では、軸受け部６１の開放側を、前方や斜め方向に形成することもできる。また、軸受け部６１の向き及び高さ、並びにヒンジ軸５２の外径等の関係から適宜に変更することができる。
【００４８】
また、この実施形態では、ヒンジ軸５２が挿入された状態で、操作ボタン５０が軸受け部６１により単独で保持されるので、突部６４と突受け部５５とを係合準備位置に合せる作業を容易に行うことができる。なお、この実施形態においては、突部６４と突受け部５５とによるヒンジ軸５２の抜止め作用があるため、締め代Ｗ１を無くすこともできる。
【００４９】
また、この実施形態では、突部６４は、軸受け部６１に挿入されるヒンジ軸５２と接触しない位置にあればよい。
【００５０】
また、この実施形態では、前記操作ボタン５０の回転を阻害せず、かつ前記軸受け部６１に対する前記ヒンジ軸５２の抜け側移動が阻止される限り、突受け部５５と突部６４との係合構造は適宜に変更することができ、例えば、突受け部５５を凹穴状、リブ状などに形成することができる。
【００５１】
また、この実施形態では、ヒンジ軸５２の挿入作業と別の時期に弾性部材７０を取り付けるようにしたが、例えば、操作ボタン５０側に弾性部材７０を固定した状態でヒンジ軸５２を挿入するように構成してもよい。
【図面の簡単な説明】
【００５２】
【図１】実施形態に係る炊飯器に備わる操作ボタンの分解斜視図
【図２】実施形態に係る炊飯器の部分縦断面図
【図３】図２に示すヒータカバーの拡大斜視図
【図４】図３のヒータカバーを図２の蓋リング部材に差し込んだ様子を示す斜視図
【図５】図４のスリット付き突片部の拡大斜視図
【図６】図５のナット嵌合用孔の使用状態を示す部分拡大縦断面図
【図７】図１の操作ボタンの取付け構造を示す作用図
【図８】（ａ）図２の操作ボタンの部分拡大断面図、（ｂ）図８（ａ）の状態における突部と突受け部との関係を示す部分拡大断面図
【図９】図８（ａ）の状態から操作ボタンが押圧された様子を示す作用図
【図１０】従来例の操作ボタンの取付け構造を示す要部拡大縦断面図
【図１１】従来例の外蓋部材の支持座部を示す要部拡大斜視図
【符号の説明】
【００５３】
１  炊飯器本体
２  蓋体
３  内鍋
１１  外殻肩部
１１ａ  外観面
１１ｂ  凹部
２１  内蓋
２２、１１０  外蓋部材
２２ａ  外観面
２３  ヒータカバー
２３ａ  突片部
２３ｂ  スリット
２４  蓋リング部材
２５  差込み孔
２６  ナット嵌合用凹部
２７  ナット
２８  アース端子
２９  ばねワッシャ
３０  ボルト
４０  蓋フック機構
４１  蓋フック
４２、７０  弾性部材
５０、１００  操作ボタン
５１、１０１  ボタン部
５２、１０２  ヒンジ軸
５３  アーム部
５４、６３  ばね保持部
５５  突受け部
５６  カム部
６１  軸受け部
６２  格子状リブ構造
６４  突部
７０  弾性部材
１０３  ばね装着部
１０４  テーパ部
１０５  係合孔
１０６  突出部
１１１  支持座部
１１２  座部
１１３  突起部
１１４  突壁
１１５  軸当て部
１２０  捻りコイルばね
１３０  蓋フック
１４０  化粧板
【図１】
2007252639.tif 000003
【図２】
2007252639.tif 000004
【図３】
2007252639.tif 000005
【図４】
2007252639.tif 000006
【図５】
2007252639.tif 000007
【図６】
2007252639.tif 000008
【図７】
2007252639.tif 000009
【図８】
2007252639.tif 000010
【図９】
2007252639.tif 000011
【図１０】
2007252639.tif 000012
【図１１】
2007252639.tif 000013